Podtech/llm-jp-corpus-v4-ja_patent huggingface dataset:
【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
ガイドによって支持された可動体を駆動ユニットにより駆動する駆動装置であって、
前記ガイドは、
磁性材で形成され前記可動体をガイドする側に凹部と凸部とを有する支持体と、該支持体の少なくとも凹部を覆うとともに前記可動体をガイドするガイド面を形成する脆性物質層とを有し、
前記可動体は、
前記ガイド面から浮上するためのエアパッドと、前記支持体との間に吸引力を得るためのマグネットとを有し、
前記支持体の凸部は、
前記駆動ユニットが駆動する前記可動体の移動方向に沿って設けられ、前記マグネットと対向するように配置される
ことを特徴とする駆動装置。
【請求項２】
前記凹部及び前記凸部は、矩形形状であり、
前記凹部及び前記凸部は、その長手方向が前記可動体の移動方向に沿って形成される
ことを特徴とする請求項１記載の駆動装置。
【請求項３】
前記脆性物質層は、前記凹部と前記凸部とを覆う
ことを特徴とする請求項１又は２記載の駆動装置。
【請求項４】
前記支持体の凹部は、
前記駆動ユニットが駆動する前記可動体の移動方向に沿って設けられ、前記エアパッドと対向するように配置される
ことを特徴とする請求項１乃至３のいずれか１項に記載の駆動装置。
【請求項５】
前記ガイド面としての前記脆性物質層の表面は、平面である
ことを特徴とする請求項１乃至４のいずれか一項に記載の駆動装置。
【請求項６】
前記凹部及び前記凸部の高低差は、２０μｍ以上で形成される
ことを特徴とする請求項１乃至５のいずれか１項に記載の駆動装置。
【請求項７】
前記脆性物質層は、セラミックス層である
ことを特徴とする請求項１乃至６のいずれか１項に記載の駆動装置。
【請求項８】
ガイドによって支持された可動体を駆動ユニットにより駆動する駆動装置であって、
前記ガイドは、
磁性材で形成され前記可動体をガイドする側に凹部と凸部とを有する支持体と、該支持体の少なくとも凹部を覆うとともに前記可動体をガイドするガイド面を形成する層とを有し、
前記可動体は、
前記ガイド面から浮上するためのエアパッドと、前記支持体との間に吸引力を得るためのマグネットとを有し、
前記支持体の凸部は、
前記駆動ユニットが駆動する前記可動体の移動方向に沿って設けられ、前記マグネットと対向するように配置され、
前記層は、
セラミックス、ガラス、ダイヤモンド、カーボン複合材、石材のいずれかを含む
ことを特徴とする駆動装置。
【請求項９】
原版ステージに保持された原版のパターンを基板ステージに保持された基板に投影光学系によって投影し該基板を露光する露光装置であって、
請求項１乃至８のいずれか１項に記載された駆動装置を備え、
前記駆動装置は、該駆動装置の前記可動体の移動に応じて前記原版ステージ又は前記基板ステージの少なくとも一方を駆動するように構成されている、
ことを特徴とする露光装置。
【請求項１０】
デバイス製造方法であって、
請求項９に記載の露光装置によって基板を露光する工程と、
該基板を現像する工程と、
を含むことを特徴とするデバイス製造方法。
【手続補正２】
【補正対象書類名】明細書
【補正対象項目名】００１０
【補正方法】変更
【補正の内容】
【００１０】
上記目的を達成するため、本発明の一態様は、ガイドによって支持された可動体を駆動ユニットにより駆動する駆動装置であって、前記ガイドは、磁性材で形成され前記可動体をガイドする側に凹部と凸部とを有する支持体と、該支持体の少なくとも凹部を覆うとともに前記可動体をガイドするガイド面を形成する脆性物質層とを有し、前記可動体は、前記ガイド面から浮上するためのエアパッドと、前記支持体との間に吸引力を得るためのマグネットとを有し、前記支持体の凸部は、前記駆動ユニットが駆動する前記可動体の移動方向に沿って設けられ、前記マグネットと対向するように配置されることを特徴とする。
【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
レチクルのパターンを基板に投影する投影光学系を備える露光装置であって、
前記投影光学系を通過する光の結像状態が調整されるように前記投影光学系を構成する複数の光学素子を駆動する駆動部と、
前記駆動部が前記複数の光学素子のうち第１の光学素子を駆動したときの駆動誤差を検出する検出部と、
前記駆動誤差に起因する前記投影光学系を通過する光の結像状態の変化が低減されるように、前記複数の光学素子のうち前記第１の光学素子とは異なる第２の光学素子を前記駆動部で駆動する制御部と、
を有することを特徴とする露光装置。
【請求項２】
レチクルのパターンを基板に投影する投影光学系を備える露光装置であって、
前記投影光学系を通過する光の結像状態が調整されるように前記投影光学系を構成する複数の光学素子を駆動する駆動部と、
前記複数の光学素子のうち第１の光学素子を駆動したときの駆動誤差に起因する前記投影光学系を通過する光の結像状態の変化が低減されるように、前記複数の光学素子のうち前記第１の光学素子とは異なる第２の光学素子を前記駆動部で駆動する制御部と、
を有することを特徴とする露光装置。
【請求項３】
前記第１の光学素子および前記第２の光学素子は、前記駆動部による駆動のされ方が互いに異なることを特徴とする請求項１又は２に記載の露光装置。
【請求項４】
前記駆動部による前記第１の光学素子および前記第２の光学素子の駆動は、前記投影光学系の光軸に垂直な平面に対して傾斜させること、前記投影光学系の光軸方向に駆動すること、または、前記第１の光学素子および前記第２の光学素子を変形させることを含むことを特徴とする請求項３に記載の露光装置。
【請求項５】
前記制御部は、前記駆動誤差に起因する前記投影光学系を通過する光の結像状態の変化量と、その変化量を低減するために必要な前記第２の光学素子の駆動量と、の関係を示す情報を有し、
前記検出部によって検出された駆動誤差及び前記情報に基づいて、前記第２の光学素子を前記駆動部で駆動することを特徴とする請求項１、３、４のうちいずれか１項に記載の露光装置。
【請求項６】
前記制御部は、前記駆動誤差と、その駆動誤差に起因する前記投影光学系を通過する光の結像状態の変化を低減するために必要な前記第２の光学素子の駆動量と、の関係を示す情報を有し、
前記検出部によって検出された駆動誤差及び前記情報に基づいて、前記第２の光学素子を前記駆動部で駆動することを特徴とする請求項１、３、４のうちいずれか１項に記載の露光装置。
【請求項７】
前記制御部は、前記第１の光学素子の駆動量と、その駆動量だけ前記第１の光学素子を駆動したときの駆動誤差に起因する前記投影光学系を通過する光の結像状態の変化を低減するために必要な前記第２の光学素子の駆動量と、の関係を示す情報を有し、
前記第１の光学素子の駆動量及び前記情報に基づいて、前記第２の光学素子を前記駆動部で駆動することを特徴とする請求項２乃至４のうちいずれか１項に記載の露光装置。
【請求項８】
前記制御部は、前記第１の光学素子を駆動したときの駆動誤差に起因する前記投影光学系を通過する光の結像状態の変化が低減されるように、前記複数の光学素子のうち前記第１の光学素子及び前記第２の光学素子を前記駆動部で駆動することを特徴とする請求項１乃至７のうちいずれか１項に記載の露光装置。
【請求項９】
請求項１乃至８のうちいずれか１項に記載の露光装置を用いて基板を露光するステップと、
露光した前記基板を現像するステップと、
を有することを特徴とするデバイス製造方法。
【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
１又は２以上のフリップチップＩＣが内部に実装された基板の接合体が、複数積層されたことを特徴とする多層プリント基板。
【請求項２】
前記接合体は、
一面に前記１又は２以上のフリップチップＩＣが実装された第1のプリント基板部と、
前記フリップチップＩＣが収納される孔を有し、前記第１のプリント基板の前記一面に積層される第２のプリント基板部と、
を有することを特徴とする、請求項１に記載の多層プリント基板。
【請求項３】
請求項１又は２に記載の多層プリント基板を用いたことを特徴とするインバータ装置。
【手続補正２】
【補正対象書類名】明細書
【補正対象項目名】発明の名称
【補正方法】変更
【補正の内容】
【発明の名称】多層プリント基板およびインバータ装置
【手続補正３】
【補正対象書類名】明細書
【補正対象項目名】０００７
【補正方法】変更
【補正の内容】
【０００７】
上記問題を解決するため、本発明は、次のような構成及び製造方法としたものである。
請求項１に記載の発明は、多層プリント基板において、１又は２以上のフリップチップＩＣが内部に実装された基板の接合体が、複数積層されたものである。
請求項２に記載の発明は、請求項１に記載の多層プリント基板において、前記接合体は、一面に前記１又は２以上のフリップチップＩＣが実装された第1のプリント基板部と、前記フリップチップＩＣが収納される孔を有し、前記第１のプリント基板の前記一面に積層される第２のプリント基板部と、を有することを特徴とするものである。
請求項３に記載の発明は、請求項１又は2に記載の多層プリント基板をインバータ装置に適用したものである。
【手続補正４】
【補正対象書類名】明細書
【補正対象項目名】０００８
【補正方法】変更
【補正の内容】
【０００８】
請求項１及び２に記載の発明によると、複数個のフリップチップＩＣが、多層プリント基板内に内蔵されるため、フリップチップＩＣを保護するための樹脂封止が必要なくなり、またフリップチップＩＣ接合部であるはんだボールに掛かる応力をプリント基板に逃がすことができ、高い信頼性の電子回路基板を提供できる。
【手続補正５】
【補正対象書類名】明細書
【補正対象項目名】０００９
【補正方法】変更
【補正の内容】
【０００９】
請求項３に記載の発明によると、フリップチップＩＣ内蔵タイプの多層プリント基板を用いて、フリップチップＩＣを積み重ねフリップチップＩＣ間を最短距離で配線しインバータ装置に用いれば、フリップチップＩＣの２次元配置分とワイヤー配線分の省スペースが可能になる。さらに、三相交流のＵ相、Ｖ相、Ｗ相分の回路を多層プリント基板内に用意することで、小型薄型化することができる。
また、電気回路の配線も短くすることが可能で高周波のキャリア信号によるノイズを減少させることができる。
【手続補正書】
【提出日】平成23年7月14日(2011.7.14)
【手続補正１】
【補正対象書類名】明細書
【補正対象項目名】０００６
【補正方法】変更
【補正の内容】
【０００６】
非特許文献１は、隠れ端末の検出方法について述べたものである。DATAフレームが観測できないACKフレームを観測することで隠れ端末を検出するアプローチが示されているが、DATAフレームが干渉により損失した場合等のように誤検出の回避は行われていない。
【非特許文献１】Youngsoo Kim, Jeonggyun Yu, Sunghyun Choi, and Kyunghun Jang, “A Novel Hidden Station Detection Mechanism in IEEE 802. 11 WLAN” pp608-610, IEEE COMMUNICATIONS LETTERS, VOL. 10, NO.8, AUGUST 2006
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
複数の基本セル群を含む固体撮像装置であって、  
各基本セル群が複数の基本セルを含み、
各基本セルは、異なる色成分を持つ複数の画素と、該複数の画素から信号を選択して出力する第１の選択手段とを含み、
前記固体撮像装置は、前記基本セルごとに設けられていて前記第１の選択手段から出力された信号を保持する保持手段と、
互いに異なる色成分の信号が出力される複数の共通出力線と、
前記複数の共通出力線のいずれかを選択し、前記保持手段に保持された信号を選択された共通出力線に出力する第２の選択手段と、を備え、
前記第１の選択手段は、前記基本セル群ごとに異なる色成分の信号を出力する固体撮像装置。
【請求項２】
前記保持手段を第２の保持手段としたときに、前記基本セルは、前記複数の画素から出力される信号を保持する複数の第１の保持手段をさらに有し、前記第１の選択手段は前記複数の第１の保持手段に保持された信号を選択し出力することを特徴とする請求項１に記載の固体撮像装置。
【請求項３】
前記複数の画素が、それぞれ列状に、かつ前記列方向と異なる方向に配列されていることを特徴とする請求項１又は２に記載の固体撮像装置。
【請求項４】
前記異なる色成分がそれぞれ、赤色、緑色、青色の各色成分であることを特徴とする請求項１から３のいずれか１項に記載の固体撮像装置。
【請求項５】
前記第１の選択手段は出力する信号を増幅する増幅手段を有することを特徴とする請求項１から４のいずれか１項に記載の固体撮像装置。
【請求項６】
固体撮像装置の駆動方法であって、
前記固体撮像装置は複数の基本セル群を含み、
各基本セル群が複数の基本セルを含み、
各基本セルは、異なる色成分を持つ複数の画素と、前記複数の画素から出力される信号を保持する複数の第１の保持手段と、前記複数の第１の保持手段に保持された信号を選択し出力する第１の選択手段とを含み、
前記固体撮像装置は、前記基本セルごとに設けられていて前記第１の選択手段から出力された信号を保持する第２の保持手段と、
互いに異なる色成分の信号が出力される複数の共通出力線と、
前記複数の共通出力線のいずれかを選択し、前記第２の保持手段に保持された信号を選択された共通出力線に出力する第２の選択手段と、を備え、
前記第１及び第２の選択手段の選択する色信号が基本セル群ごとに異なり、前記駆動方法は、
前記画素に蓄積された信号を前記第１の保持手段に転送する第１の垂直転送工程と、
前記第１の選択手段が前記基本セル群ごとに異なる色成分の信号を保持する前記第１の保持手段を選択し、保持された信号を前記第２の保持手段に転送する第２の垂直転送工程と、
前記第２の選択手段が、自身が接続されている前記第２の保持手段が保持している色成分の信号に対応した前記共通出力線と、自身が接続されている前記第２の保持手段とを接続し、各基本セル群において、各第２の保持手段に保持された信号を、前記第２の選択手段によって接続された前記共通出力線へ基本セルごとに順次出力する第１の水平転送工程とを含む、
ことを特徴とする固体撮像装置の駆動方法。
【請求項７】
固体撮像装置の駆動方法であって、
前記固体撮像装置は複数の基本セル群を含み、
各基本セル群が複数の小基本セル群を含み、
各小基本セル群が複数の基本セルを含み、
各基本セルは、異なる色成分を持つ複数の画素と、前記複数の画素から出力される信号を保持する複数の第１の保持手段と、前記複数の第１の保持手段に保持された信号を選択し出力する第１の選択手段とを含み、
前記固体撮像装置は、前記基本セルごとに設けられていて前記第１の選択手段から出力された信号を保持する第２の保持手段と、
互いに異なる色成分の信号が出力される複数の共通出力線と、
前記複数の共通出力線のいずれかを選択し、前記第２の保持手段に保持された信号を選択された共通出力線に出力する第２の選択手段と、を備え、
前記第１及び第２の選択手段の選択する色信号が基本セル群ごとに異なり、
前記駆動方法は、
前記画素に蓄積された信号を前記第１の保持手段に転送する第１の垂直転送工程と、
前記第１の選択手段が前記基本セル群ごとに異なる色成分の前記第１の保持手段を選択し、保持された信号を前記第２の保持手段に転送する第２の垂直転送工程と、
前記第２の選択手段が、自身が接続されている前記第２の保持手段が保持している色成分の信号に対応した前記共通出力線と、自身が接続されている前記第２の保持手段とを接続し、各基本セル群において、各第２の保持手段に保持された信号を、前記第２の選択手段によって接続された前記共通出力線へ基本セルごとに順次出力する第１の水平転送工程とを含む、
ことを特徴とする固体撮像装置の駆動方法。
【請求項８】
前記複数の画素がマトリクス状に配置されており、
前記基本セルが、複数列の全行分の画素を持ち、前記基本セル内の列数と同数の前記第１の保持手段を持ち、かつ列ごとの前記画素が一つの前記第１の保持手段に接続されている請求項６又は７に記載の固体撮像装置の駆動方法。
【請求項９】
前記第１の水平転送のうち、最終の第１の水平転送を行っている際に、擬似的な第２の垂直転送を行うことを特徴とする、請求項７に記載の固体撮像装置の駆動方法。
【請求項１０】
請求項１から５のいずれか１項に記載の固体撮像装置を有することを特徴とするカメラ。
【請求項１１】
請求項１から５のいずれか１項に記載の固体撮像装置を有することを特徴とする複写機。
【手続補正書】
【提出日】平成23年5月11日(2011.5.11)
【手続補正１】
【補正対象書類名】特許請求の範囲
【補正対象項目名】請求項１
【補正方法】変更
【補正の内容】
【請求項１】
配管の漏洩部を検知する漏洩管検査方法であって、
検査区間を密封して空洞化した配管内部に圧力ポンプで圧縮空気を充填する圧縮空気充填工程と、
低周波発生器で発生させた低周波で配管内部に低周波振動を生じせしめる低周波振動工程と、
検査区間の低周波を検知器にて検知する検知工程とからなり、
圧縮空気が充填された配管内部における低周波の異同位置を、配管から離れた位置で検知することを特徴とする漏洩管検査方法。
【手続補正２】
【補正対象書類名】特許請求の範囲
【補正対象項目名】請求項３
【補正方法】変更
【補正の内容】
【請求項３】
配管の漏洩部を検知する漏洩管検査装置であって、
検査区間を密封して空洞化した配管内部に圧縮空気を充填する圧力ポンプと、
配管内部の圧縮空気を低周波で振動させる低周波発生器と、
密封された配管内の低周波を検知する検知器とからなり、
圧縮空気が充填された配管内部の低周波の異同位置を、該配管から離れた位置で感知するように構成したことを特徴とする漏洩管検査装置。
【手続補正書】
【提出日】平成23年8月15日(2011.8.15)
【手続補正１】
【補正対象書類名】特許請求の範囲
【補正対象項目名】全文
【補正方法】変更
【補正の内容】
【特許請求の範囲】
【請求項１】
動脈瘤に対するステントグラフトの挿入練習用または血管の切除・縫合手術練習用の血管モデルであって、平均重合度が３００〜３５００であり、ケン化度が９０モル％以上であるポリビニルアルコールからなる架橋ゲルおよびシリカ粒子を含有し、前記架橋ゲルがジメチルスルホキシドを用いて架橋されてなる架橋ゲルであることを特徴とする血管モデル。
【請求項２】
動脈瘤に対するステントグラフトの挿入練習用または血管の切除・縫合手術練習用の血管モデルの製造方法であって、平均重合度が３００〜３５００であり、ケン化度が９０モル％以上であるポリビニルアルコール、シリカ粒子、ジメチルスルホキシドおよび水を含有する混合溶液を−１０℃以下の温度に冷却した後、解凍することを特徴とする血管モデルの製造方法。
【請求項３】
水１００重量部あたりのシリカ粒子の量が０．０１〜５０重量部である請求項２に記載の血管モデルの製造方法。
【請求項４】
混合溶液におけるポリビニルアルコールの含有量が１〜４０重量％である請求項２または３に記載の血管モデルの製造方法。
【請求項５】
ジメチルスルホキシドと水との割合（ジメチルスルホキシド／水：容量比）が５０／５０〜９５／５である請求項２〜４のいずれかに記載の血管モデルの製造方法。
【手続補正２】
【補正対象書類名】明細書
【補正対象項目名】発明の名称
【補正方法】変更
【補正の内容】
【発明の名称】動脈瘤に対するステントグラフトの挿入練習用または血管の切除・縫合手術練習用の血管モデル
【手続補正３】
【補正対象書類名】明細書
【補正対象項目名】００１１
【補正方法】変更
【補正の内容】
【００１１】
すなわち、本発明は、
（１）動脈瘤に対するステントグラフトの挿入練習用または血管の切除・縫合手術練習用の血管モデルであって、平均重合度が３００〜３５００であり、ケン化度が９０モル％以上であるポリビニルアルコールからなる架橋ゲルおよびシリカ粒子を含有し、前記架橋ゲルがジメチルスルホキシドを用いて架橋されてなる架橋ゲルであることを特徴とする血管モデル、ならびに
（２）動脈瘤に対するステントグラフトの挿入練習用または血管の切除・縫合手術練習用の血管モデルの製造方法であって、平均重合度が３００〜３５００であり、ケン化度が９０モル％以上であるポリビニルアルコール、シリカ粒子、ジメチルスルホキシドおよび水を含有する混合溶液を−１０℃以下の温度に冷却した後、解凍することを特徴とする血管モデルの製造方法
に関する。
【手続補正４】
【補正対象書類名】明細書
【補正対象項目名】００３０
【補正方法】変更
【補正の内容】
【００３０】
前記混合溶液には、本発明の目的を阻害しない範囲内で、例えば、顔料、染料などの着色剤、香料、酸化防止剤、防黴剤、抗菌剤などの添加剤を適量で添加してもよい。これらの添加剤は、通常、分散安定性の観点から、前記混合溶液に添加することが好ましい。本発明の血管モデルを人体の血管と近似させるために、前記混合溶液を着色剤で人体の血管に近似した色に着色することが好ましい。
【手続補正５】
【補正対象書類名】明細書
【補正対象項目名】００９４
【補正方法】変更
【補正の内容】
【００９４】
以上のことから、本発明の血管モデルは、例えば、動脈瘤に対するステントグラフトの挿入練習用の血管モデル、血管の切除・縫合手術練習用の血管モデルなどとして好適に使用することができる。
【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
前端開口、該前端開口から後方に延びる雄型継手部材受入部、及び、該雄型継手部材受入部に受け入れた雄型継手部材の流体通路に連通される流体通路を備える筒状の継手本体と、
該継手本体内に設けられて、該流体通路間の開閉を行なう弁装置と、
を有する管継手の雌型継手部材であって、
該弁装置が、
該継手本体の内周面に該雄型継手部材受入部を囲むように突設され、該継手本体と同軸状とされた外側弁座部と、
該継手本体内部にその軸線方向で変位可能に設けられた弁部材と、
該弁部材を前方に向けて付勢して該弁部材が外側弁座部と密封係合する閉止位置とするとともに、該外側弁座部から後方に離れて開放位置となるのを許容するバネ部材と
を有し、
弁部材は、
該開放位置から該閉止位置に向かって前方に動くときに、該弁開口内に入って、該弁部材が該継手本体と同軸状になるように案内するガイド部を有するガイド部材と、
該継手本体と同軸状にされ、該ガイド部材の後面に取り付けられる環状のシール部材と、
該シール部材の後面に取り付けられ、該継手本体の内周面に隣接して後方に延びる筒状部を有する筒状支持部材であって、該シール部材を該ガイド部材との間に固定する筒状支持部材と
を有し、
該弁部材が該軸線方向で前後に変位するときに該シール部材は該筒状継手本体の内周面に摺動するようになされ、該シール部材が摺動する該筒状継手本体の内周面には凹部が設けられ、該筒状支持部材の該筒状部には、該筒状部を半径方向で貫通し、該凹部と該筒状部の内側を連通する連通開口が設けられ、該弁部材が該軸線方向で前後に変位するときに該環状のシール部材の前側と後側とが、該凹部及び該連通開口を介して連通されるようにされている雌型継手部材。
【請求項２】
該弁装置は、該外側弁座部の半径方向内側位置に設けられ、該継手本体と同軸状とされた内側弁座部であって、該外側弁座部との間に環状の弁開口を画定する内側弁座部を有し、
環状のシール部材は、該継手本体と同軸状にされ、該ガイド部材の後面に取り付けられる環状の外側係合部と、該外側係合部から半径方向内側延びる環状の内側係合部とを有し、該弁部材が開放位置から前方に動き閉止位置に近づいたときに、該外側及び内側係合部が対応する外側及び内側弁座部と係合して弾性変形を伴いながら該外側及び内側弁座部に密封係合するようになされており、
筒状支持部材は、該外側係合部を該ガイド部材との間に固定するようにされている請求項1に記載の雌型継手部材。
【請求項３】
環状のシール部材が、内側係合部がガイド部材のガイド部よりも半径方向内側に延びる環状延長部を有し、該弁部材が該閉止位置に達して外側係合部が該外側弁座部と密封係合されたときに、該環状延長部の該内側弁座部との係合により当該内側係合部が後方に湾曲するように弾性変形されて該内側弁座部との間を密封するようにされている請求項２に記載の雌型継手部材。
【請求項４】
外側弁座部が、該継手本体と同軸状とされ、前方に向かうに従い小径になる環状傾斜面と、該環状傾斜面の前端縁から該継手本体と同軸状に前方に延びて該弁開口を画定する円筒状のガイド面とを有し、
該弁部材のガイド部材が、該弁開口に入るガイド部の後端から後方に向かうに従って大径となる係止部分を有し、該係止部分が、該弁部材が該閉止位置とされた状態で、該外側弁座部の該環状傾斜面と略当接するようにされた請求項２又は３に記載の雌型継手部材。
【請求項５】
該環状のシール部材が、該外側係合部において該筒状支持部材と該ガイド部材に接着され、該内側係合部が該筒状支持部材と該ガイド部材に対して非接着とされた請求項２又は３に記載の雌型継手部材。
【請求項６】
該筒状支持部材の該筒状部の前記連通開口が、該筒状部の周方向で相互に間隔をあけて設けられて該筒状部を半径方向で貫通する複数の連通孔とされている請求項１に記載の雌型継手部材。
【請求項７】
該継手本体は、その後端にネジ係合され、該継手本体内を前方に延びる流体通路管を有し、
該流体通路管は、流体通路を画定する内周面、該継手本体の該内周面との間に該弁部材を該軸線方向で前後に変位可能に収納する弁部材収納空間を形成する外周面、該流体通路管の該流体通路の前端を閉じて、該外側弁座部との間に環状の弁開口を形成する該内側弁座部、該内側弁座部より後方位置において該弁部材収納空間と該流体通路管の流体通路とを連通するための連通孔を有し、
該弁部材が該軸線方向で前後に変位するときに該シール部材の該内側係合部は該流体通路管の該外周面に摺動するようになされ、該シール部材の該内側係合部が摺動する該外周面には凹部が設けられている請求項１に記載の雌型継手部材。
【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
基台と筐体との間に送風ファンや熱交換器が設置されると共に、前記熱交換器の上流側にフィルタが設置され、前記基台にリモコン操作信号を受信する受信素子が設置された室内ユニットを有し、
前記筐体の前記受信素子に対応する位置に受信部を設け、該受信部に断面ほぼ三角形状の凹部を設けて、該凹部の底辺面を前記受信素子の前方に位置させたことを特徴とする空気調和機。
【請求項２】
前記筐体の前記受信素子に対応する位置に開口部を設け、該開口部を、赤外線透過樹脂からなり前記断面ほぼ三角形状の凹部が設けられた受信部カバーにより閉塞するようにして、前記受信部を構成したことを特徴とする請求項１記載の空気調和機。
【請求項３】
前記受信部に設けた断面ほぼ三角形状の凹部の底辺面を、垂直面に対して前側にθ°傾けたことを特徴とする請求項１又は２記載の空気調和機。
【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
空気と燃料とを混合する混合室と、
前記混合室の外周側から前記空気を供給する空気導入孔と、
前記混合室の外周側から前記燃料を噴出する燃料噴出孔とを有する燃焼器において、
前記燃料噴出孔は、前記空気導入孔の内部に突き出した燃料ノズルに設けられていることを特徴とする燃焼器。
【請求項２】
空気と気体燃料とを混合する混合室と、
前記混合室の壁面に設けられた複数の空気導入孔と、
前記空気導入孔に突き出して設けられ前記気体燃料を供給する気体燃料ノズルと、
前記気体燃料ノズルに設けられ、前記気体燃料を噴出する気体燃料噴出孔とを有することを特徴とする燃焼器。
【請求項３】
空気と気体燃料とを混合する混合室と、
前記混合室の軸方向に複数設けられ、前記混合室の外周側から前記空気を供給する空気導入孔と、
前記混合室の外周側から前記気体燃料を噴出する気体燃料噴出孔とを有する燃焼器において、
前記気体燃料噴出孔は、前記複数の空気導入孔を横断するように設けられた気体燃料ノズルに設けられていることを特徴とする燃焼器。
【請求項４】
請求項１−３の何れかに記載の燃焼器において、
前記燃料噴出孔から噴射される気体燃料は、前記空気導入孔内部を流下する空気の流れと同軸方向に噴出するように設けられていることを特徴とするガスタービン燃焼器。
【請求項５】
請求項１−３の何れかに記載のガスタービン燃焼器において、
前記気体燃料噴出孔は、前記空気導入孔内部を流下する圧縮空気の流れ方向と対向する方向に燃料が噴出するように設けられていることを特徴とする燃焼器。
【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
燃料と空気とが供給される燃焼室と、
前記燃焼室の上流側に位置し、複数の空気孔を有する空気孔プレートと、
前記空気孔プレートの空気孔に燃料を供給する燃料ノズルとを備えた燃焼器であって、
前記空気孔プレートの燃焼室側の面の中心が、最も外周側の前記空気孔の出口よりも、燃焼室側に位置することを特徴とする燃焼器。
【請求項２】
燃料と空気とが供給される燃焼室と、
前記燃焼室の上流側に位置し、同心円状に複数列の空気孔を有する空気孔プレートと、
前記空気孔プレートの上流側に位置し、前記空気孔プレートの空気孔に燃料を噴射する燃料ノズルと、
前記空気孔プレートと、前記複数列の空気孔のそれぞれに対応した前記燃料ノズルとを有するバーナとを備えた燃焼器であって、
前記空気孔プレートの燃焼室側の面における、任意の点の空気孔プレート中心軸からの距離が、前記任意の点よりも燃焼室上流側の点の空気孔プレート中心軸からの距離以下であることを特徴とする燃焼器。
【請求項３】
燃料と空気とを混合燃焼させる燃焼室と、
前記燃焼室の上流側壁を形成する空気孔プレートと、
前記空気孔プレートに、その中心軸に対して傾斜して穿設された複数の空気孔と、
前記複数の空気孔それぞれに燃料を供給する燃料ノズルとを備えた燃焼器であって、
前記空気孔プレートは燃焼室側に、それぞれ前記空気孔プレートの中心軸方向と垂直な平面である内周側平面と外周側平面とを有し、
前記内周側平面は前記外周側平面よりも下流側に位置し、
前記内周側平面と前記外周側平面とは、平面または滑らかな面で接続されていることを特徴とする燃焼器。
【請求項４】
請求項１−３の何れかに記載の燃焼器において、
前記空気孔プレートの燃焼室側面の中心が、保炎を強化する構造を有していることを特徴とする燃焼器。
【請求項５】
請求項４に記載の燃焼器において、
前記空気孔プレートの燃焼室側面の中心が、淀みを促進するよう構成されていることを特徴とする燃焼器。
【請求項６】
請求項１−５の何れかに記載の燃焼器において、
前記空気孔プレートの燃焼室側の面の中心に、燃料供給手段を備えていることを特徴とする燃焼器。
【請求項７】
請求項３に記載の燃焼器において、
最も内周側にある空気孔が、前記内周側平面と前記外周側平面とを接続する平面または滑らかな面に設けられていることを特徴とする燃焼器。
【請求項８】
請求項３に記載の燃焼器において、
全ての空気孔が、前記内周側平面と前記外周側平面とを接続する平面または滑らかな面に設けられていることを特徴とする燃焼器。
【請求項９】
請求項３に記載の燃焼器において、
前記空気孔プレートは燃焼室側に、前記空気孔プレートの中心軸方向と垂直な平面である外周側平面とを有し、
前記外周側平面には、前記内周側平面と前記外周側平面とを接続する平面または滑らかな面に設けられた空気孔とは別の空気孔が設けられていることを特徴とする燃焼器。
【請求項１０】
請求項１−９の何れかに記載の燃焼器において、
前記空気孔プレートの厚みが一定であることを特徴とする燃焼器。
【請求項１１】
複数の空気孔を有する空気孔プレートと、
前記空気孔プレートの空気孔に燃料を供給する複数の燃料ノズルと、
前記空気孔プレートの燃焼室側の面の中心に設けられた燃料供給手段と、
前記空気孔プレートと、前記複数列の空気孔のそれぞれに対応した前記燃料ノズルとを有し、前記空気孔プレートの燃焼室側の面の中心が、最も外周側の前記空気孔の出口よりも燃焼室側に位置するバーナとを備え、
前記バーナを複数有する燃焼器の運転方法であって、
燃料を供給するバーナの数を増やす際に、前記燃料供給手段から燃料を供給することを特徴とする燃焼器の運転方法。
【請求項１２】
燃料と空気とが供給される燃焼室と、
前記燃焼室の上流側に位置し、複数の空気孔を有する空気孔プレートと、
前記空気孔プレートの空気孔に燃料を供給する燃料ノズルとを備え、
前記空気孔プレートの燃焼室側の面の中心が、最も外周側の前記空気孔の出口よりも、燃焼室側に位置する燃焼器の運転方法であって、
前記空気孔プレートの中心の下流側に循環流を生じさせ、
この循環流によるエントレインにより、前記空気孔プレートの燃焼室側表面に、外周側から内周側への流れを生じさせることを特徴とする燃焼器の運転方法。
【請求項１３】
燃料と空気とが供給される燃焼室と、
前記燃焼室の上流側に位置し、中心側に同心円状に設けられた第一の空気孔群と、前記第一の空気孔群の外周側に設けられた第二の空気孔群を有する空気孔プレートと、
前記空気孔プレートの上流側に位置し、前記空気孔プレートの空気孔に燃料を噴射する燃料ノズルと、
前記空気孔プレートと、前記空気孔のそれぞれに対応した前記燃料ノズルとを有するバーナとを備え、
前記空気孔プレートの燃焼室側の面における、任意の点の空気孔プレート中心軸からの距離が、前記任意の点よりも燃焼室上流側の点の空気孔プレート中心軸からの距離以下である燃焼器の運転方法であって、
前記第一の空気孔群に対応する第一の燃料ノズル群に供給する、一本の燃料ノズルあたりの燃料の流量を、
前記第二の空気孔群に対応する第二の燃料ノズル群よりも多くすることを特徴とする燃焼器の運転方法。
【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
空気と燃料とを燃焼させる燃焼室と、
前記燃焼室の上流側から前記燃焼室に燃料を供給する第一の燃料ノズルと、
を備えた燃焼器において、
前記燃焼室の壁面に、水素含有燃料を燃焼室内に供給する第二の燃料供給孔を備えたことを特徴とする燃焼器。
【請求項２】
空気と燃料とを燃焼させる燃焼室と、
前記燃焼室の上流側から前記燃焼室に燃料を供給する第一の燃料ノズルと、
を備えた燃焼器において、
前記第一燃料ノズルから供給された燃料を燃料過濃条件で燃焼させるよう構成し、
前記燃料過濃条件で燃焼した気体中に水素含有燃料を供給する第二の燃料供給孔を備えたことを特徴とする燃焼器。
【請求項３】
空気と燃料とを燃焼させる燃焼室と、
前記燃焼室の上流側から前記燃焼室に燃料を供給する第一の燃料ノズルと、
を備えた燃焼器において、
前記第一の燃料ノズルから供給された燃料の燃焼により発生したＮＯｘを還元する還元剤を供給する第二燃料供給孔を備えたことを特徴とする燃焼器。
【請求項４】
請求項１〜３の何れかに記載の燃焼器において、
前記第二燃料供給孔よりも燃焼ガス流れ方向の下流側に、前記燃焼室に空気を供給する空気孔を設けたことを特徴とする燃焼器。
【請求項５】
請求項１〜４の何れかに記載の燃焼器において、
前記第二燃料供給孔よりも燃焼ガス流れ方向上流側の酸素濃度を減少させる手段を有することを特徴とする燃焼器。
【請求項６】
請求項５に記載の燃焼器において、
前記酸素濃度を減少させる手段として、不活性媒体噴射手段を有することを特徴とする燃焼器。
【請求項７】
請求項６に記載の燃焼器において、
前記不活性媒体噴射手段は、前記燃焼室に不活性媒体と空気の混合物を噴射するよう構成されていることを特徴とする燃焼器。
【請求項８】
請求項１〜７の何れかに記載の燃焼器と、
前記燃焼器に圧縮空気を供給する圧縮機と、
前記燃焼器で生成された燃焼ガスにより駆動されるタービンと、
前記タービンの駆動力により発電する発電機とを備えた発電プラントにおいて、
燃料の水素濃度を高める手段を備え、
前記水素濃度を高める手段により水素濃度を高めた燃料を、前記燃焼器の前記第二の燃料供給孔に供給することを特徴とする発電プラント。
【請求項９】
請求項８に記載の発電プラントにおいて、
前記水素濃度を高める手段は、炭素分と水蒸気とのシフト反応を利用したものであることを特徴とする発電プラント。
【請求項１０】
請求項８に記載の発電プラントにおいて、
前記水素含有燃料が製鉄プロセスで発生するガス燃料であることを特徴とする発電プラント。
【請求項１１】
請求項８に記載の発電プラントにおいて、
前記水素含有燃料が石炭を酸素によってガス化することで精製されるガスであることを特徴とする発電プラント。
【請求項１２】
請求項８に記載の発電プラントにおいて、
前記水素含有燃料が、石油の精製プロセスで発生する副生燃料であることを特徴とする発電プラント。
【請求項１３】
空気と燃料とを燃焼させて燃焼ガスを生成する燃料の燃焼方法において、
前記燃焼ガスに水素含有燃料を供給することにより、空気と燃料との燃焼で発生したＮＯｘを還元反応にて減少させることを特徴とする燃料の燃焼方法。
【請求項１４】
請求項１３に記載の燃料の燃焼方法において、
水素含有燃料の供給によりＮＯｘを減少させた後に空気を供給することにより、未燃分の燃料を燃焼させることを特徴とする燃料の燃焼方法。
【請求項１５】
請求項１〜７の何れかに記載の燃焼器の運転方法において、
燃料に含まれる水素濃度と前記燃焼室内ＮＯｘ濃度の少なくとも一方に基づいて、前記第一の燃料ノズルから供給する燃料流量と前記第二の燃料ノズルから供給する燃料流量の少なくとも一方を制御することを特徴とする燃焼器の運転方法。
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
ノードと、ノード同士をつなぐリンクとを有し、経路探索における前記リンクの重みを表すリンク評価値が予め設定された地図データを用いて経路探索を行う経路探索装置であって、
ユーザから、探索する経路の出発地情報と目的地情報とを受信する受信部と、
前記リンクに対応づけて予め設定され、前記ユーザが対応する前記リンクを通過したときに付与されるリンクポイントが登録されたデータベースから前記リンクポイントを読み出すポイント読出部と、
受信した前記出発地情報および前記目的地情報と、前記リンク評価値に前記リンクポイントを反映させた変更後リンク評価値とを用いて経路探索を行い、前記経路探索の結果をユーザに報知する経路案内部と、
を備える、経路探索装置。
【請求項２】
請求項１記載の経路探索装置であって、
前記経路案内部は、
前記出発地情報および前記目的地情報に基づいて複数の経路候補を抽出し、
前記複数の経路候補に含まれるリンクである候補リンクに設定された前記リンクポイントを用いて前記候補リンクのリンク評価値を変更することにより前記変更後リンク評価値を取得し、前記変更後リンク評価値に基づいて前記複数の経路候補の中から少なくとも一つの経路を選択して前記ユーザに報知する、経路探索装置。
【請求項３】
請求項１または請求項２記載の経路探索装置であって、
前記ポイント読出部は、さらに、前記ノードが表す地物に対応づけて予め設定され、前記ユーザが前記地物に接続可能なリンクを通過したときに付与される地物ポイントが登録されたデータベースから前記地物ポイントを読み出し、
前記経路案内部は、前記リンク評価値に、前記リンクポイントと、前記地物ポイントとを反映させた前記変更後リンク評価値を用いて経路探索を行う、経路探索装置。
【請求項４】
請求項１〜３のいずれか一項に記載の経路探索装置であって、さらに、
前記地図データを表示する表示部と、
前記表示部に、前記リンクポイントが設定されたリンクを強調表示させる表示制御部と、
を備える、経路探索装置。
【請求項５】
ノードと、ノード同士をつなぐリンクとを有し、経路探索における前記リンクの重みを表すリンク評価値が予め設定された地図データを用いて経路探索を行う経路探索システムであって、
請求項１〜４のいずれか一項に記載の経路探索装置と、
前記リンクに対応づけて予め設定され、前記経路探索装置のユーザが前記リンクを通過したときに付与されるリンクポイントが登録されたデータベースと、
前記データベースに前記リンクポイントを登録できるリンクポイント登録部と、
を備え、
前記経路探索装置と、前記データベースと、前記リンクポイント登録部とは、ネットワークを介して互いに接続されている、経路探索システム。
【請求項６】
ノードと、ノード同士をつなぐリンクとを有し、経路探索における前記リンクの重みを表すリンク評価値が予め設定された地図データを用いて、コンピュータに経路探索を行わせる方法であって、
（ａ）前記コンピュータが、ユーザから、探索する経路の出発地情報と目的地情報とを受信する工程と、
（ｂ）前記コンピュータが、前記リンクに対応づけて予め設定され、前記ユーザが対応する前記リンクを通過したときに付与されるリンクポイントが登録されたデータベースから前記リンクポイントを読み出す工程と、
（ｃ）前記コンピュータが、受信した前記出発地情報および前記目的地情報と、前記リンク評価値に前記リンクポイントを反映させた変更後リンク評価値とを用いて経路探索を行い、前記経路探索の結果をユーザに報知する工程と、
を備える、方法。
【請求項７】
ノードと、ノード同士をつなぐリンクとを有し、経路探索における前記リンクの重みを表すリンク評価値が予め設定された地図データを用いた経路探索を、コンピュータに行わせるためのプログラムであって、
（ａ）ユーザから、探索する経路の出発地情報と目的地情報とを受信する機能と、
（ｂ）前記リンクに対応づけて予め設定され、前記ユーザが対応する前記リンクを通過したときに付与されるリンクポイントが登録されたデータベースから前記リンクポイントを読み出す機能と、
（ｃ）受信した前記出発地情報および前記目的地情報と、前記リンク評価値に前記リンクポイントを反映させた変更後リンク評価値とを用いて経路探索を行い、前記経路探索の結果をユーザに報知する機能と、
を、前記コンピュータに実現させるためのプログラム。
【手続補正２】
【補正対象書類名】明細書
【補正対象項目名】発明の名称
【補正方法】変更
【補正の内容】
【発明の名称】経路探索装置、経路探索システム、経路探索方法および経路探索プログラム
【手続補正書】
【提出日】平成23年2月16日(2011.2.16)
【手続補正１】
【補正対象書類名】明細書
【補正対象項目名】００２５
【補正方法】変更
【補正の内容】
【００２５】
【図１】正常なヒトのアルブミン・プロフィールを示す質量分析計のプリントアウト。
【図２】Ａは、正常妊娠におけるアルブミン・プロフィールを示す質量分析計のプリントアウト。Ｂは、胎盤虚血を起こした妊娠におけるアルブミン・プロフィールを示す質量分析計のプリントアウト。
【図３】左上は、正常妊娠（１）および胎盤虚血を起こした妊娠（２）における、天然アルブミンの統計的分析比較を示すボックス・プロット。右上は、正常妊娠（１）および胎盤虚血を起こした妊娠（２）における、システイン化アルブミンの統計的分析比較を示すボックス・プロット。左下は、正常妊娠（１）および胎盤虚血を起こした妊娠（２）における、糖化アルブミンの統計的分析比較を示すボックス・プロット。右下は、正常妊娠（１）および胎盤虚血を起こした妊娠（２）における、システイン化され、かつ糖化されたアルブミンの統計的分析比較を示すボックス・プロット。
【図４】左は、正常妊娠（１）および胎盤虚血を起こした妊娠（２）におけるＣ末端ロイシンを欠失したアルブミンに関して、天然アルブミン、糖化アルブミン、システイン化アルブミン、およびシステイン化され、かつ糖化されたアルブミンを排除した後で、最正規化されたデータの統計的分析を示すボックス・プロット。真ん中は、正常妊娠（１）および胎盤虚血を起こした妊娠（２）におけるＮ末端２アミノ酸（アスパラギン酸およびアラニン）を欠失したアルブミンに関して、天然アルブミン、糖化アルブミン、システイン化アルブミン、およびシステイン化され、かつ糖化されたアルブミンを排除した後で、最正規化されたデータの統計的分析を示すボックス・プロット。右は、正常妊娠（１）および胎盤虚血を起こした妊娠（２）におけるＣ末端ロイシンを欠失しているがホモシステインが付加されたアルブミンに関して、天然アルブミン、糖化アルブミン、システイン化アルブミン、およびシステイン化され、かつ糖化されたアルブミンを排除した後で、最正規化されたデータの統計的分析を示すボックス・プロット。
【図５】硫黄転移経路を示す図。
【図６】リン酸化された心臓トロポニンＩの免疫学的検定を示す図。
【図７Ａ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｂ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｃ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｄ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｅ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｆ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｇ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｈ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｉ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｊ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｋ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｌ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｍ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｎ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｏ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｐ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｑ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｒ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図７Ｓ】急性冠状動脈症候群を診断および／または除外するための、トロポニンＩの分析、リン酸化されたトロポニンＩの分析、心電図（ＥＣＧ）、およびこれらの様々な組合せにおける感度および特異性を比較した棒グラフ。
【図８】虚血を診断および／または除外するＡＣＢ（商標）テストによるリン酸化されたトロポニンＩの分析における感度および特異性を比較する棒グラフ。
【図９Ａ】腸虚血後のラットにおけるアルブミン・プロフィールを示す質量分析計のプリントアウト。
【図９Ｂ】対照ラットにおけるアルブミン・プロフィールを示す質量分析計のプリントアウト。
【手続補正書】
【提出日】平成23年1月31日(2011.1.31)
【手続補正１】
【補正対象書類名】特許請求の範囲
【補正対象項目名】全文
【補正方法】変更
【補正の内容】
【特許請求の範囲】
【請求項１】
ＴＳ信号を受信し、該受信したＴＳ信号を復号して、該受信したＴＳ信号の受信状態情報を検出して該復号したＴＳ信号と共に出力する受信手段と、
前記復号したＴＳ信号のＴＳパケット中に前記受信状態情報を第１のＩＤ値で挿入する多重手段と、
前記多重手段の出力信号のＴＳ信号を送信する送信手段とを備える中継装置において、
前記多重手段は、更に、所定の周期で前記復号したＴＳ信号のＴＳパケット中に、前記受信状態情報を、所定の周期で第２のＩＤ値で挿入する手段を備えたことを特徴とする中継伝送装置。
【請求項２】
請求項１の中継伝送装置において、前記多重手段は、前記第１のＩＤ値で記述されたＰＩＤを有するＴＳパケットを抽出する抽出手段を備え、前記中継伝送装置が受信したＴＳ信号の受信状態情報を所定の頻度で、第３のＩＤ値に置き換えて、次段の中継伝送装置若しくは受信装置に送信する手段を備えたことを特徴とする中継伝送装置。
【請求項３】
請求項１乃至請求項２の中継伝送装置において、前記多重手段は、前記受信状態情報を前記ＴＳパケット中のｎｕｌｌ情報と差し替えることを特徴とする中継伝送装置。
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
出力設定データが設定された文書データを格納する画像形成装置であって、
前記画像形成装置の機器構成情報と、当該画像形成装置に接続されたデバイスの機器構成情報とを取得する取得手段と、
前記取得手段によって取得された機器構成情報を用いて前記出力設定データを変更する変更手段と、
前記変更手段によって変更された出力設定データを用いて前記文書データを処理する処理手段と
を備えることを特徴とする画像形成装置。
【請求項２】
前記取得手段によって取得された機器構成情報を用いて新たな出力設定データを生成する生成手段と、
前記生成手段によって生成された新たな出力設定データと、
格納された文書データに設定された出力設定データとのうち、最も処理効率の高い出力設定データを決定する決定手段と
を更に備えることを特徴とする請求項１に記載の画像形成装置。
【請求項３】
前記決定手段における処理効率は、手動により行われる処理の回数であることを特徴とする請求項２に記載の画像形成装置。
【請求項４】
前記決定手段における処理効率は、処理にかかる時間であることを特徴とする請求項２に記載の画像形成装置。
【請求項５】
前記決定手段における処理効率は、処理にかかるコストであることを特徴とする請求項２に記載の画像形成装置。
【請求項６】
前記文書データが格納された後、前記取得手段により取得された機器構成情報を参照し、前記文書データを格納する前の印刷物と同一の印刷物を得るために、当該画像形成装置に接続されていないデバイスの処理が必要であるか否かを判定する判定手段と、
前記判定手段によって当該画像形成装置に接続されていないデバイスの処理が必要であると判定された場合に、前記接続されていないデバイスのために前記文書データに含まれる画像データを編集する編集手段と
を更に備えることを特徴とする請求項１乃至５のいずれか１項に記載の画像形成装置。
【請求項７】
前記編集手段は、前記画像データの断裁位置を示す情報を編集することを特徴とする請求項６に記載の画像形成装置。
【請求項８】
出力設定データが設定された文書データを格納する画像形成装置において実行される画像形成方法であって、
前記画像形成装置の取得手段が、前記画像形成装置の機器構成情報と、当該画像形成装置に接続されたデバイスの機器構成情報とを取得する取得工程と、
前記画像形成装置の変更手段が、前記取得工程によって取得された機器構成情報を用いて前記出力設定データを変更する変更工程と、
前記画像形成装置の処理手段が、前記変更工程によって変更された出力設定データを用いて前記文書データを処理する処理工程と
を備えることを特徴とする画像形成方法。
【請求項９】
出力設定データが設定された文書データを格納するための画像形成プログラムであって、
画像形成装置の機器構成情報と、当該画像形成装置に接続されたデバイスの機器構成情報とを取得する取得手段と、
前記取得手段によって取得された機器構成情報を用いて前記出力設定データを変更する変更手段と、
前記変更手段によって変更された出力設定データを用いて前記文書データを処理する処理手段と
してコンピュータを機能させることを特徴とする画像形成プログラム。